(57)【要約】  【課題】  開閉動作の開始タイミング精度を向上しやすいロータリースイッチを提供する。  【解決手段】  (A) 絶縁板１に３つの固定接片２、３、４を離隔して配置する。(B) ３方向に接点５、６、７をもつ回転接片８を固定接片２、３、４と対向して配置する。(C) 回転接片８の接点５、６、７は固定接片２、３、４のいずれとも非接触である中立位置から時計方向及び反時計方向に回転動作する。(D) 回転接片８が中立位置から時計方向に回転動作すると、接点６が固定接片３に接触した後、接点５が固定接片２の一側に接触する。(E) 回転接片８が中立位置から反時計方向に回転動作すると、接点７が固定接片４に接触した後、接点６が固定接片２の他側に接触する。【選択図】  図１
2005044750.tif 000002
【特許請求の範囲】
【請求項１】
下記要件(A)〜(E)を備えたロータリースイッチ。
(A) 絶縁板１に３つの固定接片２、３、４を離隔して配置する。
(B) ３方向に接点５、６、７をもつ回転接片８を固定接片２、３、４と対向して配置する。
(C) 回転接片８の接点５、６、７は固定接片２、３、４のいずれとも非接触である中立位置から時計方向及び反時計方向に回転動作する。
(D) 回転接片８が中立位置から時計方向に回転動作すると、接点６が固定接片３に接触した後、接点５が固定接片２の一側に接触する。
(E) 回転接片８が中立位置から反時計方向に回転動作すると、接点７が固定接片４に接触した後、接点６が固定接片２の他側に接触する。
【発明の詳細な説明】
【技術分野】
【０００１】
本発明は、自動車におけるドアキーの所定角度内での回転操作に対して連携動作させるのに好適なロータリースイッチに関する。
【背景技術】
【０００２】
この種のロータリースイッチでは、複数の固定接片と対向して複数の接点をもつ回転接片を配置している。そして、回転接片が回転すると、その接点が対応する固定接片と接触または離脱して、回転接片を介して複数の固定接片間を開閉していた。その際、回転接片の時計方向と反時計方向とで異なる固定接片に対して開閉動作の開始タイミングが発生するため、微妙なタイミングずれを生じやすかった。
【発明の開示】
【発明が解決しようとする課題】
【０００３】
本発明はこのような解決すべき課題を鑑み、開閉動作の開始タイミング精度を向上しやすいロータリースイッチを提供することを目的とする。
【課題を解決するための手段】
【０００４】
本発明を要約すると、下記要件(A)〜(E)を備えたロータリースイッチである。
(A) 絶縁板１に３つの固定接片２、３、４を離隔して配置する。
(B) ３方向に接点５、６、７をもつ回転接片８を固定接片２、３、４と対向して配置する。
(C) 回転接片８の接点５、６、７は固定接片２、３、４のいずれとも非接触である中立位置から時計方向及び反時計方向に回転動作する。
(D) 回転接片８が中立位置から時計方向に回転動作すると、接点６が固定接片３に接触した後、接点５が固定接片２の一側に接触する。
(E) 回転接片８が中立位置から反時計方向に回転動作すると、接点７が固定接片４に接触した後、接点６が固定接片２の他側に接触する。
【発明の効果】
【０００５】
本発明によれば、回転接片８を介した固定接片２−３間の開閉動作の開始タイミングと、回転接片８を介した固定接片２−４間の開閉動作の開始タイミングを、一つの固定接片２の一側と他側位置で決めることができるため、他の固定接片３、４の寸法精度や配置に微妙な誤差やバラツキがあっても、別段の問題は生じない。また、アーク放電が発生してもそれによる磨耗は一つの固定接片２の一側と他側で略同等に発生するため、回転接片８の時計方向と反時計方向での開閉動作の開始タイミングのずれを略同等にできる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、下記要件(A)〜(E)を備えたロータリースイッチである。
(A) 絶縁板１に３つの固定接片２、３、４を離隔して配置する。
(B) ３方向に接点５、６、７をもつ回転接片８を固定接片２、３、４と対向して配置する。
(C) 回転接片８の接点５、６、７は固定接片２、３、４のいずれとも非接触である中立位置から時計方向及び反時計方向に回転動作する。
(D) 回転接片８が中立位置から時計方向に回転動作すると、接点６が固定接片３に接触した後、接点５が固定接片２の一側に接触する。
(E) 回転接片８が中立位置から反時計方向に回転動作すると、接点７が固定接片４に接触した後、接点６が固定接片２の他側に接触する。
なお、接点５、６、７は各々２つずつあり、それらは各々、回転接片８の中心から放射方向に揃っている。また、固定接片２、３、４からは外向き同一方向に端子が延長されている。
【０００８】
図１では、回転接片８の接点５、６、７は固定接片２、３、４のいずれとも非接触である中立位置にある。図２に示すように、回転接片８が中立位置から時計方向に回転動作すると、接点６が固定接片３に接触した後、接点５が固定接片２の一側に接触する。この時が固定接片２と固定接片３とが回転接片８を介して閉回路となった瞬間である。そして、図２の位置よりさらに少し時計方向に回転接片８が回転した位置が右回りの最大限度である。この状態でももちろん、固定接片２と固定接片３とが回転接片８を介して閉回路となっている。また、この状態から回転接片８が中立位置に戻る時には、接点５と固定接片２が先に離間してから接点６と固定接片３が離間する。その際、通電電流が大きかった場合には接点５と固定接片２の一側間でアーク放電する。
【０００９】
図３に示すように、回転接片８が中立位置から反時計方向に回転動作すると、接点７が固定接片４に接触した後、接点６が固定接片２の他側に接触する。この時が固定接片２と固定接片４とが回転接片８を介して閉回路となった瞬間である。そして、図３の位置よりさらに少し反時計方向に回転接片８が回転した位置が左回りの最大限度である。この状態でももちろん、固定接片２と固定接片４とが回転接片８を介して閉回路となっている。また、この状態から回転接片８が中立位置に戻る時には、接点６と固定接片２が先に離間してから接点７と固定接片４が離間する。その際、通電電流が大きかった場合には接点６と固定接片２の他側間でアーク放電する。
【００１０】
本実施形態によれば、回転接片８を介した固定接片２−３間の開閉動作の開始タイミングと、回転接片８を介した固定接片２−４間の開閉動作の開始タイミングを、一つの固定接片２の一側と他側位置で決めることができるため、他の固定接片３、４の寸法精度や配置に微妙な誤差やバラツキがあっても、別段の問題は生じない。また、アーク放電が発生してもそれによる磨耗は一つの固定接片２の一側と他側で略同等に発生するため、回転接片８の時計方向と反時計方向での開閉動作の開始タイミングのずれを略同等にできる。
【図面の簡単な説明】
【００１１】
【図１】回転接片が中立位置の平面図
【図２】回転接片を時計方向に回転したときの平面図
【図３】回転接片を反時計方向に回転したときの平面図
【図４】分解斜視図
【符号の説明】
【００１２】
１  絶縁板
２、３、４  固定接片
５、６、７  接点
８  回転接片
【図１】
2005044750.tif 000003
【図２】
2005044750.tif 000004
【図３】
2005044750.tif 000005
【図４】
2005044750.tif 000006